(57)【要約】【課題】複数の信号線を切り換えて駆動する場合に電磁波の発生を効果的に低減できる画像データ処理装置を提供する。【解決手段】画像データ処理装置が、複数の信号線を切換制御する複数の信号線制御素子に対応して、画像データを複数の画像データに分割して出力すると共に、これを記憶する。出力される複数の画像データのいずれかに対応して、記憶された複数の画像データのいずれかを選択し、差分データを生成、送信する。【選択図】図１
2007017802.tif 000002
【特許請求の範囲】
【請求項１】
複数の信号線をそれぞれ切換制御する複数の信号線制御素子に対応して、画像データを複数の画像データに分割して出力するデータ分割部と、
前記出力される複数の画像データを記憶するデータ記憶部と、
前記出力される複数の画像データのいずれかに対応して、前記記憶された複数の画像データのいずれかを選択するデータ選択部と、
前記出力される複数の画像データのいずれかと、前記選択された画像データとの差分データを生成するデータ差分部と、
前記生成された差分データを送信するデータ送信部と、
を具備することを特徴とする画像データ処理装置。
【請求項２】
前記送信された差分データを受信するデータ受信部と、
前記受信された差分データから画像データを再生する画像データ再生部と、
複数の信号線と、複数の走査線と、この信号線および走査線で駆動される複数の画素とを有する表示部と、
前記再生された画像データに基づいて、前記表示部の区分された表示領域内の複数の信号線を切り換え制御する前記複数の信号線制御素子と、
をさらに具備することを特徴とする請求項１記載の画像データ処理装置。
【請求項３】
前記出力される複数の画像データのいずれかに対応する画素と、前記選択された画像データに対応する画素が、同一または隣接する区分領域内に配置される
ことを特徴とする請求項２記載の画像データ処理装置。
【請求項４】
前記複数の画素が、互いに異なる複数の表示色をそれぞれ表示する複数の画素を含む
ことを特徴とする請求項２記載の画像データ処理装置。
【請求項５】
前記出力される複数の画像データのいずれかに対応する画素と、前記選択された画像データに対応する画素の表示色が同一である
ことを特徴とする請求項４記載の画像データ処理装置。
【請求項６】
前記信号線制御素子が、前記走査線に応じて前記区分領域内の複数の信号線の切り換え順序を変更する
ことを特徴とする請求項２記載の画像データ処理装置。
【請求項７】
前記信号線制御素子が、前記走査線に応じて前記区分領域内の複数の信号線の切り換え順序を逆にする
ことを特徴とする請求項６記載の画像データ処理装置。
【請求項８】
前記区分領域内の複数の信号線の本数に基づき、前記データ選択部が記憶された複数の画像データのいずれかを選択する
ことを特徴とする請求項２記載の画像データ処理装置。
【請求項９】
前記信号線制御素子による前記区分領域内の複数の信号線の切り換え順序に基づき、前記データ選択部が記憶された複数の画像データのいずれかを選択する
ことを特徴とする請求項２記載の画像データ処理装置。
【請求項１０】
前記生成された差分データのビット数を変更するビット数変更部をさらに具備し、
前記データ送信部が、ビット数が変更された差分データを送信する
ことを特徴とする請求項２記載の画像データ処理装置。
【発明の詳細な説明】
【技術分野】
【０００１】
本発明は、画像データ処理装置に関する。
【背景技術】
【０００２】
表示装置の大画面化、高精細化が進められたことから、表示装置の駆動に要する情報量の増大を招き、ひいては表示装置を駆動するために伝送する信号が高周波化されてきている。このような、伝送信号のデータ量の増大（高周波化）はその周囲への電磁妨害雑音（EMI: Electro Magnetic Interference）の原因となる。
このため、表示装置を有する電子機器による電磁妨害雑音（EMI: Electro Magnetic Interference）による電磁妨害雑音を低減する必要性が高まっている。
表示装置を有する電子機器より発せられるＥＭＩを低減する手法として、「ＬＶＤＳ」、「ＰａｎｅｌＬｉｎｋ」、「ＳＳＣＧ」、その他の方式が提案されている（非特許文献１、特許文献１参照）。
【非特許文献１】日経エレクトロニクス１９９７．１１．３（ｎｏ．７０２）Ｐ１２３−Ｐ１４８
【特許文献１】特開２０００−２００３１号公報
【発明の開示】
【発明が解決しようとする課題】
【０００３】
ここで、複数の信号線を切り換えて駆動する表示装置が用いられるようになってきている。１の走査線上の画像信号を複数に区分し、その区分に応じて信号線を切り換えて区分された画像信号を出力することで表示装置を駆動する。１の走査線上の画像信号を複数のブロックに分割し、信号線を選択して表示することで、信号線を制御するための素子の個数を低減できる。
上記に鑑み、本発明は複数の信号線を切り換えて駆動する場合に電磁波の発生を効果的に低減できる画像データ処理装置を提供することを目的とする。
【課題を解決するための手段】
【０００４】
本発明に係る画像データ処理装置は、複数の信号線を切換制御する複数の信号線制御素子に対応して、画像データを複数の画像データに分割して出力するデータ分割部と、前記分割して出力される複数の画像データを記憶するデータ記憶部と、前記出力される複数の画像データのいずれかに対応して、前記記憶された複数の画像データのいずれかを選択するデータ選択部と、前記出力される複数の画像データのいずれかと、前記選択された画像データとの差分データを生成するデータ差分部と、前記生成された差分データを送信するデータ送信部と、を具備することを特徴とする。
【発明の効果】
【０００５】
本発明によれば、複数の信号線を切り換えて駆動する場合に電磁波の発生を効果的に低減できる画像データ処理装置を提供できる。
【発明を実施するための最良の形態】
【０００６】
以下、図面を参照して、本発明の実施の形態を詳細に説明する。
（第１の実施形態）
図１は、本発明の第１の実施形態に係る表示システム１００を表すブロック図である。
表示システム１００は、画像データ送信装置１１０、画像データ受信装置１２０、信号線１３１を有する。
【０００７】
画像データ送信装置１１０は、表示パネル１２２を駆動させるための差分信号を発生、送信する、例えば、コンピュータ、テレビ・チューナであり、画像データ生成部１１１，差分データ送信部１１２を有する。
画像データ受信装置１２０は、画像データ送信装置１１０からの差分信号を受信して画像を表示する、例えば、液晶表示装置等のディスプレイモジュールであり、画像データ受信部１２１，表示パネル１２２，信号線制御部１２３，走査線制御部１２４，選択規則記憶部１２５を有する。
【０００８】
画像データ生成部１１１は、表示パネル１２２での表示のための画像データを生成、出力するものであり、生成のための手段は問わない、例えば、画像データを記憶するメモリ、ハードディスク等の記憶装置、画像データを入力するデータ入力装置、記憶媒体等から画像データを読み出すデータ読み出し装置のいずれでも差し支えない。また、画像データの画像は静止画、動画を問わない。
【０００９】
画像データ生成部１１１は、生成した画像データを赤（Ｒ）、緑（Ｇ）、青（Ｂ）の表示色に対応する信号Ｒ，Ｇ，Ｂを出力する。
なお、画像データ生成部１１１は、信号Ｒ，Ｇ，Ｂに換えて、信号Ｙ、Ｐｂ、Ｐｒ、または信号Ｙ、Ｃｂ、Ｃｒを出力しても良い。例えば、表示パネル１２２がＴＶ用のディスプレイの場合には、信号Ｙ、Ｐｂ（Ｃｂ），Ｐｒ（Ｃｒ）で駆動される可能性がある。また、表示パネル１２２が信号Ｒ，Ｇ，Ｂで駆動される場合でもその前に、信号Ｙ、Ｐｂ（Ｃｂ），Ｐｒ（Ｃｒ）から信号Ｒ，Ｇ，Ｂに変換すれば良い。画像データ生成部１１１が信号Ｙ、Ｐｂ、Ｐｒを出力する場合には、以下の記述中の「信号Ｒ，Ｇ，Ｂ」を「信号Ｙ、Ｐｂ、Ｐｒ」に置き換えれば、実質的に同様の議論が成立し得る。
【００１０】
差分データ送信部１１２は、画像データから表示される隣接画素間の画像データを差分して差分データを生成し、これを伝送する。伝送するデータ（信号）を差分データとすることで、その変化が小さくなり、ＥＭＩや消費電力を低減することができる。なお、差分データ送信部１１２は、差分データ（差分信号）に加えて、表示パネル１２２を制御するためのクロック信号、制御信号（走査線駆動信号、水平同期信号等）を送信する。
【００１１】
画像データ受信部１２１は，差分データ送信部１１２から送信される差分データ（画像データの一種）を受信する。これに替えて、画像データ受信部１２１は、差分データ送信部１１２に記憶されている画像データを読み出しても良い。差分データ送信部１１２から画像データ受信部１２１へと画像データが情報として伝送されれば良く、この伝送を差分データ送信部１１２と画像データ受信部１２１のいずれが主体的に制御しているかは特に問題とはならない。
画像データ受信部１２１は，受信された差分信号、走査線制御信号を信号線制御部１２３、走査線制御部１２４それぞれに出力する。
【００１２】
表示パネル１２２は，クロック信号、制御信号、画像データを基に画像を表示する液晶表示装置等のディスプレイである。表示パネル１２２は、画素Ｐｉｘ（Ｐｉｘ−１〜Ｐｉｘ−ｎ）、信号線１３１（１３１−１〜１３１−ｎ），走査線１３２，スイッチング素子１３３を有する。
【００１３】
画素Ｐｉｘは、スイッチング素子１３３によって駆動され画像を表示するための基本単位である。表示パネル１２２上に赤（Ｒ）、緑（Ｇ）、青（Ｂ）それぞれを表示する画素Ｐｉｘが縦横のマトリクス状に配列されることでカラー表示を可能としている。例えば、走査線１３２上に赤（Ｒ）、緑（Ｇ）、青（Ｂ）に対応する画素Ｐｉｘ（Ｒ）〜Ｐｉｘ（Ｂ）が例えば、ストライプ状に配列される。
【００１４】
画素Ｐｉｘは、複数（ｎ個、例えば、２〜５個）の画素Ｐｉｘ−１〜Ｐｉｘ−ｎの群を１つのブロックとした複数（Ｎ個）のブロックに区分される。即ち、１本の走査線（水平ライン）１３２がＮ個のブロック（領域）に区分され、それぞれのブロックでｎ本の信号線１３１−１〜１３１−ｎを時系列的にシリアルに（逐次に）切り換えて画像を表示している。
【００１５】
信号線１３１は、スイッチング素子１３３に画像信号を出力する配線である。既述のように、この信号線１３１は、ｎ本を１つの単位とするＮ個のブロックに区分され、ｎ本の信号線１３１−１〜１３１−ｎに画像信号が切換出力される。
走査線１３２は、スイッチング素子１３３にこのＯＮ／ＯＦＦを制御するための制御信号（走査線制御信号）を出力する配線である。
スイッチング素子１３３は、画素Ｐｉｘを駆動して表示させるための素子、例えば、薄膜トランジスタ（ＴＦＴ）である。
【００１６】
信号線制御部１２３は，画像データ受信部１２１から出力される画像データに基づき、信号線１３１を制御する。なお、この詳細は後述する。
走査線制御部１２４は，画像データ受信部１２１から出力される走査線制御信号に基づき、走査線１３２を制御する。
選択規則記憶部１２５は、選択規則およびサンプリングパターン（サンプリング順序：信号線の制御順序）を記憶する記憶装置、例えば、ＲＯＭ（Read Only Memory）である。
選択規則は、表示パネル１２２の隣接する画素Ｐｉｘ間の画像データを差分する際に、どの隣接画素を選択すべきかを表す。画像データ受信装置１２０から画像データ送信装置１１０に選択規則を伝送し、画素Ｐｉｘのブロックの区分、および切換出力の順序に応じた最適な差分を実行させるためである。
データ伝送線１３０は、表示パネル１２２を駆動させるための信号（クロック信号、制御信号、画像データ）を伝達するものである。
【００１７】
（差分データ送信部１１２の詳細）
差分データ送信部１１２は、分割・サンプリング部１６１、時間圧縮部１６２，差分データ生成部１６３，画像データ混合・送信部１６４を有する。
【００１８】
分割・サンプリング部１６１は、画像データ生成部１１１から出力される画像データを分割、サンプリングする。この分割、サンプリングは、表示パネル１２２の１本の走査線１３２上がＮ個のブロックに区分され、このブロック内のｎ個の画素Ｐｉｘ−１〜Ｐｉｘ−ｎが切り換えて駆動されることと対応する。即ち、分割、サンプリングされた画像データは、Ｎ個のブロック中での画素Ｐｉｘ−１〜Ｐｉｘ−ｎに出力される信号に対応する。いわば分割・サンプリング部１６１は、表示パネル１２２の駆動方式をシミュレートしている。差分データ送信部１１２から出力される画像データ（差分データ）を表示パネル１２２で容易に処理（画像データの再生）可能とするためである。
なお、差分データ送信部１１２側で表示パネル１２２の駆動状態をシミュレートせずに差分データを生成することも可能である。
【００１９】
分割・サンプリング部１６１から出力されるサンプリングデータは、走査線１３２上がＮ個のブロックに区分され、これらのブロック内の画素数ｎに対応して出力される。即ち、１本の走査線１３２に対応する画像データがｎ個に区分してＮ個の画素毎に出力される（Ｎ個のデータがｎ回出力される）。
【００２０】
時間圧縮部１６２は，分割・サンプリング部１６１から出力されるサンプリングデータを時間圧縮処理する。分割・サンプリング部１６１から出力されるサンプリングデータは、いわば間引きされ、データ間に隙間（時間間隔）がある。この隙間を除去（時間圧縮）することで、差分データ生成部１６３での処理（差分データの生成）を容易とする。
【００２１】
差分データ生成部１６３は、時間圧縮部１６２から出力される時間圧縮されたサンプリングデータから差分データを生成する。差分データ生成部１６３は、記憶部１５１（１５１−１〜１５１−３）、選択部１５２（１５２−１〜１５２−３），差分処理部１５３（１５３−１〜１５３−３），量子化部１５４（１５４−１〜１５４−３），逆量子化部１５５（１５５−１〜１５５−３），加算部１５６（１５６−１〜１５６−３）を有する。
【００２２】
ここで、記憶部１５１、選択部１５２，差分処理部１５３，量子化部１５４，逆量子化部１５５，加算部１５６はそれぞれ、３つで1組となっている。これは、画像データ生成部１１１から出力される信号ＲＧＢが、３つ（３色）を1組としていることと対応する。差分データは、別種の信号間での差（例えば、Ｒ−Ｇ，Ｂ−Ｇ）、または同種の信号内での差（例えば、Ｒ１−Ｒ２、Ｇ１−Ｇ２など）で表すことができる。このため、３つの信号それぞれに記憶部１５１等を対応させることで、画像データの分割数（選択出力される画素Ｐｉｘの数）ｎに依らず、差分データを生成することが容易になる。
【００２３】
記憶部１５１は、差分データ生成部１６３から出力されたサンプリングデータを記憶する。差分データ生成部１６３から出力される差分データが量子化部１５４で量子化されている。この量子化された差分データから画像データを生成し、記憶部１５１に記憶することで、差分データ生成部１６３と画像データ受信装置１２０間での処理内容の不一致（量子化誤差の累積）を防止している。なお、この詳細は後述する。
【００２４】
選択部１５２は，選択規則に基づいて、記憶部１５１に記憶された画像データから差分処理部１５３での減算に適した画像データを選択する。
差分処理部１５３は，時間圧縮部１６２から出力される画像データから選択部１５２で選択された画像データを減算して（差分処理）、差分データを生成する。この結果、データ伝送線１３０で伝送される信号の変化が低減される。
【００２５】
量子化部１５４は，差分処理部１５３から出力される差分データを量子化（「符号化」ともいう）する。ここでいう量子化とは、例えば、９ビットから５ビットへのビットの変換（ビット数の低減）をいう。信号のビット数を低減することで、データ伝送線１３０での信号線の本数およびＥＭＩの低減を図ることができる。この量子化は、例えば、量子化前後のデータを対応して表す量子化テーブルを用いて行える。
【００２６】
この量子化に際し、非線型変換を適用することが考えられる。近隣の画素での差分データは、その値が０に近い確率が高いのが通例である。そこで、この確率に従って、発生する確率が高ければ、１つの符号を、低ければ、複数のレベルを同じ符号に変換することで、伝送するビット数を低減してもより忠実な画像の再現が可能である。例えば、０は０、１は１に変換するが、２と３は２に、４と５と６は３に変換するというように、大きな差分に対しては、いくつかをまとめて同じ数に変換する。
【００２７】
逆量子化部１５５および加算部１５６では、量子化部１５４で量子化された差分データに基づき、画像データを再生する。差分処理部１５３での差分処理と、後述する信号線制御部１２３の加算部１４２での処理が量子化部１５４での量子化によって相違することが無いようにするためである（量子化誤差の累積防止）。
逆量子化部１５５は，量子化部１５４で量子化された差分データを逆量子化する。この逆量子化は例えば、量子化前後のデータを対応して表す量子化テーブルを用いて行える。
【００２８】
加算部１５６は、逆量子化部１５５で逆量子化された差分データと、記憶部１５１に記憶され、この差分データと対応する画像データとを加算することで、画像データを再生する。
画像データ混合・送信部１６４は、量子化部１５４−１〜１５４−３から出力される差分データを混合し、伝送ケーブル１３０を介して画像データ受信装置１２０に送信する。この送信に替え、ビデオメモリ等の記憶装置への書き込みを行い、画像データ受信部１２１がこの記憶装置から読み出しても良い。
【００２９】
（信号線制御部１２３の詳細）
信号線制御部１２３は、逆量子化部１４１，加算部１４２，分割部１４３（１４３−１〜１４３−Ｎ）、記憶部１４４（１４４−１〜１４４−Ｎ），Ｄ／Ａ変換部１４５（１４５−１〜１４５−Ｎ），増幅部１４６（１４６−１〜１４６−Ｎ），選択出力部１４７（１４７−１〜１４７−Ｎ），読出部１４８（１４８−１〜１４８−Ｎ），選択部１４９を有する。
このうち、分割部１４３、記憶部１４４，Ｄ／Ａ変換部１４５，増幅部１４６，選択出力部１４７，読出部１４８は、走査線１３２上のＮ個のブロックに対応してＮ組が配置される。
【００３０】
逆量子化部１４１は，画像データ受信部１２１から出力される差分データを逆量子化する。この逆量子化は例えば、量子化前後のデータを対応して表す量子化テーブルを用いて行える。逆量子化は量子化の逆変換であるからこの逆量子化によって量子化前の差分データが生成される。但し、量子化前後のビット数が異なることから、逆量子化部１４１で逆量子化された差分データは、量子化部１５４での量子化前の差分データとある程度相違し得る。
【００３１】
加算部１４２は，逆量子化部１４１から出力される差分データと選択部１４９で選択された画像データとを加算することで、差分処理部１５３での差分処理前の元の画像データを再生する。
【００３２】
分割部１４３は、加算部１４２から出力される画像データを走査線１３２上のＮ個のブロックに対応するように分割し、１画素毎の画像データを生成し、記憶部１４４に書き込む。
記憶部１４４は，分割部１４３によって書き込まれた画像データを記憶（保持）する。
【００３３】
Ｄ／Ａ変換部１４５は，記憶部１４４に記憶されるディジタルの画像データをアナログの電圧等に変換して出力する。
増幅部１４６は，Ｄ／Ａ変換部１４５からの電圧等の出力を増幅する。
選択出力部１４７は，Ｄ／Ａ変換部１４５から出力される信号線駆動信号をｎ本の信号線１３１−１〜１３１−ｎに切り換えて出力するもの、例えば、ｐ−Si（ポリシリコン）を用いたスイッチである。
【００３４】
読出部１４８は，記憶部１４４に記憶される画像データを読み出す。
選択部１４９は、読出部１４８によって読み出された画像データを選択して、加算部１４２に出力する。この選択は選択規則記憶部１２５に記憶された選択規則に基づく。
【００３５】
（表示システム１００の動作）
以下、表示システム１００の動作を画像データ送信装置１１０と画像データ受信装置１２０に区分して説明する。
【００３６】
Ａ．画像データ送信装置１１０側での動作
図２は、画像データ送信装置１１０の動作手順の一例を表すフローチャートである。
（１）選択規則の取得（ステップＳ１１）
画像データ送信装置１１０は、選択規則記憶部１２５に記憶された選択規則およびサンプリングパターンを取得する（例えば、読み取り、受信）。取得した選択規則およびサンプリングパターンをメモリ等に保存しておくと、後の処理がし易くなる。
【００３７】
（２）画像データの分割（ステップＳ１２）
サンプリングパターンに基づいて、画像データの分割、サンプリングを行う。RGBの画像信号は、サンプリングブロック1〜ｎで、それぞれ1/ｎにサンプリングされる。画像信号がXGA信号の場合には、水平に（走査線１３２上に）画素Ｐｉｘが１０２４個あるが、これらがｎ個の信号に分割されＲ１〜Ｒｎ、Ｇ１〜Ｇｎ,Ｂ１〜Ｂｎとなる。サンプリングパターンに従って、画像データが隣接画素間での差分に適するようにサンプリングされ、１の走査線１３２上の信号がそれぞれｎ個の信号に分割され、Ｓ１−１〜Ｓ１−ｎ、Ｓ２−１〜Ｓ２−ｎ、Ｓ３−１〜Ｓ３−ｎとなる。
【００３８】
（３）画像データの時間圧縮（ステップＳ１３）
サンプリングされた画像データは、データが間引かれた状態にある。この画像データを時間圧縮して、隣接関係がわかるように並び替える。これを仮の再生画像G（ｘ、ｙ）とする。これらの信号が1/ｎに時間圧縮され、Ｓ１−１〜Ｓ１−ｎ、Ｓ２−１〜Ｓ２−ｎ、Ｓ３−１〜Ｓ３−ｎの順番でそれぞれＳ１，Ｓ２，Ｓ３信号にまとめられ、３・ｎ個の信号が３個の信号になる。
【００３９】
（４）画像データの選択（ステップＳ１４）
送信すべき画像データの画素に隣接する画素のデータをサンプリングされた画像データから選択する。選ばれた画像データを予測画素値Ｓ_pred（Ｓ１_pred〜Ｓ３_pred）とする。
この選択は選択規則に基づいて行われる。選択規則では基本的に以下の基準によって、画像データを選択する。
１）画像の垂直、水平方向に１画素を超えて離れていない画素
２）同じ色である画素
隣接する画素のデータは近似する傾向にあることから、このように画素を選択して、差分を取ることで送信するデータ量を低減できる。
この内、１）はほぼ必須の条件であるが、２）は必須ではなく、できるだけ満足させるように隣接する画素を選べば良い。なお、選択規則の詳細は後述する。
【００４０】
（５）画像データの差分処理（ステップＳ１５）
選ばれた予測画素値S_pred（Ｓ１_pred〜Ｓ３_pred）と、送信すべき画素値Ｓ（Ｓ１〜Ｓ３）との差分を取り、伝送信号Ｓ_trans（Ｓ１_trans〜Ｓ３_trans）を算出する。３本の信号となったS1〜S3信号は、もっとも隣接する画素との差分が取られ、伝送信号Ｓ_trans、即ち、差分信号として伝送される。
【００４１】
（６）画像データの量子化（ステップＳ１６）
伝送信号S_transを量子化し、これをD（ｘ、ｙ）とする。画像データの量子化は、ビットの変換であり、データのビット数が例えば、８ビットから５ビットに低減される。この量子化は量子化前後のデータを対比して表した量子化テーブルを用いて行える。
【００４２】
（７）量子化誤差の累積防止処理（ステップＳ２１〜Ｓ２３）
ステップＳ１５での差分処理に量子化前のデータを用い、量子化後の差分データを伝送することで、画像データ受信装置１２０側での画像データの再生に誤差が生じることが考えられる。即ち、量子化前後でのビット数の相違により量子化誤差が生じ、送信側での差分処理と受信側での逆量子化・加算処理（再生処理）とでの値の相違が拡大することが考えられる（量子化誤差の累積）。
【００４３】
ここでは、量子化誤差の累積を防止するために、ステップＳ１５での差分処理に受信側と同様の再生データを用いている。即ち、送信側でも、受信側と同様に量子化された差分信号を逆量子化して、記憶部１５１に蓄積された再生データと加算することで画像データを再生する。
この再生された画像データを記憶部１５１に記憶し、この中から隣接する画素のデータを選択し、差分処理に用いる。一旦量子化された画像データから再生される画像データ、即ち、受信側での再生信号処理と同様の画像データを用いて差分処理が行われる。このため、量子化誤差が蓄積されず、適切な差分データを生成できる。
【００４４】
（８）画像データの混合・送信（ステップＳ１７、Ｓ１８）
量子化された伝送信号S_transを混合して、混合画像データD（ｘ、ｙ）を生成する。この混合は、例えば、ビデオメモリに書き込むことでも行える。
混合された画像データが送信される。例えば、ビデオメモリに書き込まれた差分信号が、画像データ受信装置１２０の表示パネル１２２の走査制御に同期して読み出され、伝送される。表示画像信号R,G,Bが、水平同期信号HSYNCに同期したクロックCKによって転送される。
画像データに替えて、差分信号を伝送することで、電磁波放射強度や消費電力等を低減することが可能となる。
【００４５】
Ｂ．画像データ受信装置１２０側での動作
図３は、画像データ受信装置１２０の動作手順の一例を表すフローチャートである。
（１）画像データの受信（ステップＳ３１）
画像データ送信装置１１０から送信された画像データが画像データ受信装置１２０で受信される。例えば、ビデオメモリに書き込まれた差分信号が、画像データ受信装置１２０の表示パネル１２２の走査制御に同期して読み出され、伝送される。
【００４６】
（２）画像データの逆量子化・加算処理（ステップＳ３２〜Ｓ３３）
受信側に伝送された差分データは、量子化テーブル等を用いて、逆量子化される。
サンプリングパターンに従って記憶部１４４から選択された予測画素値（予測信号）S_predと、逆量子化された差分データとを加算することで、再生信号S_reconが生成される。即ち、サンプリングパターンに従って、記憶部１４４に保存されている１分割ライン前の信号から読出部１４８を通して予測信号S_predが選択され、送信差分信号S_transと加算される。
【００４７】
（３）画像データの分割・選択出力（ステップＳ３４、Ｓ３５）
生成された再生信号S_reconが走査線１３２上のＮ個のブロックに分割される。分割された画像データは記憶部１４４に記憶され、Ｄ／Ａ変換部１４５でＤ／Ａ変換され、増幅部１４６で増幅され、選択出力部１４７によって信号線１３１−１〜１３１−ｎのいずれかを選択して出力される。
以上のステップＳ３１〜Ｓ３５が繰り返される。
【００４８】
Ｃ．サンプリングパターンと選択規則の関係
サンプリングパターンについて、分割数が２〜５の場合について、具体的に説明する。
（１）分割数が２の場合のサンプリングパターン・選択規則
分割数ｎが２の場合のサンプリングパターンおよび選択規則を説明する。表示パネル１２２として、赤（Ｒ）、緑（Ｇ）、青（Ｂ）の縦ストライプ配列で、２画素ごとの組をブロックとして区切る場合を想定する。このとき、２つのパターン１，２を示す。
【００４９】
・パターン１
図４Ａ〜図４Ｄはそれぞれ、分割数が２の場合の画素の選択順序（サンプリングパターン）、分割・サンプリングされた画像データ、時間圧縮された画像データ、選択規則の一例（パターン１）を示す模式図である。
図４Ａで、ＲＧ、ＢＲ、ＧＢ、ＲＧと２つずつ区切られた画素のセットが、選択出力部１４７が制御できるブロックを示している。また、分割数は、１ラインの中で時分割駆動する場合に選択される画素の順序であり、２分割の場合には、１本の走査線１３２を２回に分けて駆動する。この例では、一番左のブロックは、順にＲ０，Ｇ０が選択されている。
【００５０】
選択規則は、分割数に依らず以下の３つの法則に基づく。
法則１）同じブロック内では同色を連続して選択
法則２）同色がない場合には、隣接ブロックで同色を選択
法則３）１ライン内で同色をすべて選択（特に３の倍数）
例えば、１ライン目（１本目の走査線）で赤Ｒ０を選択すると、法則１）を適用できないので、法則２）により、隣のブロックの赤の画素Ｒ１が選択される。赤の画素Ｒ１に対してはその隣のブロックに赤画素が存在しないので、緑の画素Ｇ１を選択する。緑の画素Ｇ１対しては、その隣のブロックに緑画素が存在するので、法則２）からＧ２を選択する。
【００５１】
図４Ｄに示すパターン１のときの選択規則は以下のようになる。
１ライン目（１行目）の分割数１の画素Ｒ０は、他の画素がないので、中間画像である１２８レベル（所定のダミーデータ）との差分を取る。それ以外は、画素Ｒ１はＲ１−Ｒ０、画素Ｇ１はＧ１−Ｒ１というように水平画素との差分を取る。
【００５２】
１ライン目の分割数２では、左方向に２画素シフトして、垂直差分と水平差分を併用することで、１画素以下で、同色の隣接画素との差分を取ることができる。つまり、画素Ｒ２では画素Ｒ１との垂直差分Ｒ２−Ｒ１を取り、画素Ｒ３では画素Ｒ２との水平差分Ｒ３−Ｒ２を取る。また、画素Ｇ３では画素Ｇ２との垂直差分Ｇ３−Ｇ２を取り、画素Ｇ４では画素Ｇ３との水平差分Ｇ４−Ｇ３を取る。このように、同色で１画素以内での差分を取ることができる。
【００５３】
２ライン目の分割数１では、その前に対してシフトしないことで、垂直差分を取ることができ、相関が高くなる。
２ライン目を１ライン目と同様の順番で伝送した場合には、画素Ｒ１の信号伝送に、斜め上の画素Ｒ２を使わなければならないため、水平や垂直１画素よりも相関が低くなってしまう。１行ごとに伝送の順番を逆にすることで、その問題を解決できる。
【００５４】
仮に、２ライン目での伝送の順序を１ライン目と同一にしたとする。この場合、１ライン目で再生された画素Ｒ２の信号を用いて、２ライン目の画素Ｒ１の信号を再生するのが、同色で一番近い画素Ｒ１，Ｒ２を利用することになる。しかし、１ライン目の画素Ｒ２と２ライン目の画素Ｒ１は、斜めに配置され、垂直、水平方向に配置されたときと比べて、距離が√２倍となる。このため、画素Ｒ１，Ｒ２の信号間での相関が減少することになる。
【００５５】
これに対して、２ライン目での伝送の順序を１ライン目と逆にすると、２ライン目の分割数１での画素Ｒ２の信号再生に、１ライン目の分割数２での画素Ｒ２の信号、つまり、垂直方向に隣接する画素を用いることができる。このため、画素Ｒ２の信号間での相関の減少を抑えることができる。また、２ライン目の分割数２での画素Ｒ１の信号再生に、水平方向に隣接する画素Ｒ２の信号を用いることができるため、画素Ｒ１の信号再生に斜めの画素を用いる必要がない。
【００５６】
・パターン２
図５Ａ〜図５Ｄはそれぞれ、分割数２でパターン２の場合の画素の選択順序（サンプリングパターン）、分割・サンプリングされた画像データ、時間圧縮された画像データ、選択規則を示す模式図である。
パターン２は、例外である。即ち、２分割で、法則１）〜法則３）が成り立たない場合に、RGBとも、まったく同じ間隔で連続してサンプリングできる唯一のパターンが例外的に存在する。
図５Ａ〜図５Ｄに示すように、パターン２でも、１画素以内での差分を取ることができる。
【００５７】
・画素Ｐｉｘの選択順序の変更
以上のパターン１，２では、画素Ｐｉｘの選択順序を１水平ラインごとに、逆にしている。これによって、各画素Ｐｉｘに書き込まれる信号にもばらつきが発生し、これが縦縞のむらとなる可能性を低減できる。
【００５８】
選択出力部１４７で、信号線１３１を順次選択して駆動する場合、どの順番で信号線１３１を駆動したかによって、駆動する時間などの駆動条件に差がでる可能性がある。たとえば、最初に駆動した信号線１３１では、水平走査期間１Ｈ中の１／３は選択出力部１４７からの出力で駆動するが、その後の２／３は、信号線１３１の容量に蓄えられた電荷で駆動する可能性がある。一方、最後に駆動する信号線１３１は、水平走査期間１Ｈ中の２／３は以前に駆動した信号で駆動され、最後の１／３期間だけ本来の信号が選択出力部１４７から供給されることになる。
以上のように、各画素Ｐｉｘに書き込まれる信号にもばらつきが発生し、これが縦縞のむらになって現れる可能性がある。
【００５９】
順序を１水平ラインごとに逆にすることにより、このむらを解消することができる。
つまり、１ラインごとに、むらの位置がずれるため、むらとなる縦縞が非常に見づらくなる。
このパターン１、２では、全く逆にしたが、順序をかえることでも同じ効果が得られるので、１ラインや複数ラインごとに、順序を変える等してもよい。
【００６０】
（２）分割数が３の場合のサンプリングパターン
図６Ａ〜図６Ｃはそれぞれ、分割数３の場合の画素の選択順序（サンプリングパターン）、分割・サンプリングされた画像データ、時間圧縮された画像データを示す模式図である。
この場合のサンプリングパターンは、法則３）が適用されるため、分割ごとにすべて同じ色の画素になっている。このため、時間圧縮したG(x,y)空間で見ると、垂直方向は別の色になってしまうため、ほとんど水平相関を利用して再生することになる。
なお、無彩色の画像が多い場合には、R-G、B-G、R-Bについての相関が高い。また、後述の第２の実施形態のように、水平、垂直、両方のパターンを用意しておき、これらの差分を比較して選択方法を変更することも考えられる。
【００６１】
（３）分割数が４の場合のサンプリングパターン
図７Ａ〜図７Ｃ、図８Ａ〜図８Ｃはそれぞれ、分割数４でのパターン１，２の場合の画素の選択順序（サンプリングパターン）、分割・サンプリングされた画像データ、時間圧縮された画像データを示す模式図である。
パターン１では、法則１）に従って、同じブロック内で、最初の分割数１では、R0を選択し、次の分割数２では、R1と同色を連続して選択する。３番目は、同じブロックには同色がないので、同じブロックではB0を選択し、隣のブロックで同色のR2を選択する。次も、同じブロックでは同色がないので、G0を選択し、隣のブロックでも同色がないので、その隣のブロックで同色であるR4を選択する。他の色についても同様に選択する。
【００６２】
パターン２では、同じブロック内でR0,R1の順番に同色を選択するとともに、R1を選択したときに、同時に、法則２）に従って隣接ブロックで同色のR2を選択した場合である。このように、法則がいくつかあるので、色々なパターンでサンプリングパターンを作成することができる。
【００６３】
（４）分割数が５の場合のサンプリングパターン
図９Ａ〜図９Ｃはそれぞれ、分割数５の場合の画素の選択順序（サンプリングパターン）、分割・サンプリングされた画像データ、時間圧縮された画像データを示す模式図である。
法則１）に従って、R0,R1と連続して同じブロック内は同色を選択するとともに、次の分割数３では、同色がないことから、法則２）に従って、隣接するブロックから同色のR2を選択している。
この法則２）に従えば、分割数５でも、時間圧縮した画像G(x,y)で示したように、１画素以内の隣接画素との差分を常に取ることができる。
【００６４】
（５）比較例
走査線１３２上をブロックに区分する場合には、記憶部１５１に蓄積される画像は、前の走査線の画像データではなく、走査線１３２上で分割された画像データになる。このため、単純に分割すると、分割された画像同士の相関が低くなり、差分信号として伝送しても、その変化が大きくなり、EMIや消費電力が下がらないことがあり得る。
【００６５】
図１０Ａ〜図１０Ｄはそれぞれ、分割数が４の場合の画素の選択順序（サンプリングパターン）、分割・サンプリングされた画像データ、時間圧縮された画像データ、選択規則の一例を示す模式図である。
このパターンで垂直方向に差分を取ると、図１０Ｄで示したように、それぞれ、１行前の信号を２画素シフトして差を取るということになる。この結果、２画素離れた画素との差分を伝送することになり、相関が低くなってしまう。
【００６６】
Ｄ．タイミングチャート
サンプリングパターンについて、分割数が２〜５の場合について、具体的に説明する。
（１）分割数２の場合
図１１〜図１３は、分割数２でのタイミングチャートを示す図である。
水平同期信号HSYNCに同期したクロックCKによって転送されてきた表示画像信号R,G,B信号は、XGA信号の場合は、水平１０２４画素あるが、それぞれ２つの信号に分割されR1,R2、G1,G2,B1,B2となる。
このとき、サンプリングパターンは、図１２のパターン１−１、１−２に示す通りの順番で伝送する必要があり、これに対応させて、S1-1,S1-2,S2-1、S2-2,S3-1,S3-2としてサンプリングされる。つまり、図１２のS1のパターン１−１と１−２はそれぞれ、図１１のS1−１、S1-2に、S2のパターン１−１と１−２は、それぞれS2-1,S2-2というように対応させておく。
そのようにサンプリングされたS1-1とS1-2を1/2に時間圧縮して、S1-1,S1-2の順番で並べ替えれば、図１２におけるS1にすることができる。以下、S2.S3についても同様である。
【００６７】
予測信号S1_predは、１垂直画素遅延したS１_1Hdとさらに１画素遅延させたS1_1H1Pdから、登録されたサンプリングパターンに従って選択される。このサンプリングパターンは、次の条件１）、２）に従う。
１）１画素以内の隣接した画素
２）同色
【００６８】
このように選択された予測値S1_predとの差分、S1-S1_predをS1_transとして伝送する。なお、信号S2,S3についても同様である。
図１３に示すように、再生の際には、受信サイドと同様に決定された予測信号S１_predを再生サイドで作成し、これと伝送信号S1_transとを加算することで、再生信号S_reconを得る。
【００６９】
（２）分割数３〜５の場合
図１４〜図１７は、分割数３でのタイミングチャートを示す図である。なお、この場合のサンプリングパターンは図６Ａ〜図６Ｃに示される。
図１８〜図２１は、分割数４でのタイミングチャートを示す図である。なお、この場合のサンプリングパターンはパターン１（図７Ａ〜図７Ｃ）に示される。
図２２〜図２５は、分割数５でのタイミングチャートを示す図である。
なお、この場合のサンプリングパターンは図９Ａ〜図９Ｃに示される。
【００７０】
（第1の実施形態の変形例）
図２６は、本発明の第１の実施形態の変形例に係る表示システム１００ａを表すブロック図である。
この変形例では、伝送の際に差分データが量子化されない。このため、差分データ生成部１６３ａが、第１の実施形態での量子化部１５４、さらには記憶部１５１、選択部１５２，量子化部１５４，逆量子化部１５５，加算部１５６を有していない。即ち、量子化自体および量子化誤差累積に関連する構成が除外され、これに替えて選択記憶部１５２ａが配置され、時間圧縮部１６２からの出力自体から予測画素値Ｓ_predを選択している。
また、信号線制御部１２３ａでは、第１の実施形態での逆量子化部１４１が除外されている。
以上の点を除くと、本変形例は第１の実施形態と本質的に異なる訳ではないから、詳細な説明を省略する。
【００７１】
（第２の実施形態）
図２７は、本発明の第２の実施形態に係る表示システム２００を表すブロック図である。
本実施形態では、画像データ送信装置２１０側で選択規則を決定し、差分データと共に画像データ受信装置２２０に伝送している。このため、画像データ送信装置２１０が、差分積算部２１３と、選択規則決定部２１４とを有する。
【００７２】
差分積算部２１３は、サンプリングパターンの候補に基づき、種々の差分データを生成し、それぞれのサンプリングパターンの候補での差分の絶対値を積算する。サンプリングパターンの候補は画像データ受信装置２２０内のパターン候補記憶部２２５から入手する。
選択規則決定部２１４は、差分積算部２１３での積算結果に基づき、サンプリングパターン、およびそのサンプリングパターンに適した選択規則を決定する。
【００７３】
（表示システム２００の動作）
以下、表示システム２００の動作を画像データ送信装置２１０と画像データ受信装置２２０に区分して説明する。
【００７４】
Ａ．画像データ送信装置２１０側での動作
図２８は、画像データ送信装置２１０の動作手順の一例を表すフローチャートである。図２のフローチャートでの選択規則の入手（ステップＳ１１）に替えて、選択規則を決定するためのステップＳ４１〜Ｓ４７が実行される。
【００７５】
（１）サンプリングパターン候補の取得（ステップＳ４１）
画像データ送信装置２１０は、パターン候補記憶部２２５に記憶されたサンプリングパターンの候補（例えば、サンプリングパターン候補１〜ｍ）を取得する（例えば、読み取り、受信）。取得したサンプリングパターンの候補をメモリ等に保存しておくと、後の処理がし易くなる。
【００７６】
（２）サンプリングパターン候補での画像データの分割・時間圧縮（ステップＳ４２、Ｓ４３）
サンプリングパターン候補に基づいて、画像データの分割、サンプリング、時間圧縮を行う。なお、表示画像F（ｘ、ｙ）をサンプリングして、時間圧縮したものをG1（ｘ、ｙ）〜Gｍ（ｘ、ｙ）とする。
【００７７】
（３）画像データの選択・差分処理（ステップＳ４４、Ｓ４５）
以下、G（ｘ、ｙ）に対して、予測画素を決定して、その差分を計算する。法則１）〜法則３）に基づいて、送信すべき画像データの画素に隣接する画素のデータをサンプリングされた画像データから選択し、これを予測画素値Ｓ_predとする。さらに、選ばれた予測画素値S_predと、送信すべき画素値Ｓとの差分を取り、伝送信号Ｓ_transの候補が生成される。なお、選択規則が確定していないことから、それぞれのサンプリングパターン候補毎に複数の伝送信号Ｓ_transの候補が出現する可能性がある。
この伝送信号Ｓ_transの候補として、サンプリングパターン候補１〜ｍに応じた差分データ群の組１〜ｍが生成される。
【００７８】
（４）差分積算処理・選択規則の決定（ステップＳ４６、Ｓ４７）
並列的に差分データ群の組１〜ｍを生成し、その差分の絶対値を積算してゆく。
それぞれの差分値の絶対値の和を、１ライン分積算したものをAccError1〜AccErrormとする。AccError1〜AccErrormの中で一番小さいものがデータ間の相関が高いと考えられるため、そのときのサンプリングパターンの候補をサンプリングパターンと決定する。即ち、サンプリングパターン１〜ｍから最適のサンプリングパターンおよび選択規則の組が決定される。
なお、差分の絶対値の積算に替えて、差分の二乗和や重み付け加算等他の方法を適宜に用いることもできる。
【００７９】
（５）選択規則の決定後（ステップＳ１２〜Ｓ１８、Ｓ２１〜Ｓ２３）
選択規則およびサンプリングパターンの決定後は、第１の実施形態の場合と同様に、決定された選択規則およびサンプリングパターンに従って、差分処理がなされる。
なお、選択規則の決定にある程度の時間を要することを考慮し、画像データ生成部１１１と分割・サンプリング部１６１との間に遅延処理部を設けて、選択規則が決定するまで分割・サンプリング部１６１、時間圧縮部１６２，差分データ生成部１６３，画像データ混合・送信部１６４による処理の開始を遅らせることも可能である。
【００８０】
Ｂ．画像データ受信装置２２０側での動作
図２９は、画像データ受信装置２２０の動作手順の一例を表すフローチャートである。図３のデータの受信、逆量子化（ステップＳ３１、Ｓ３２）の間に、受信データからサンプリングパターンおよび選択規則を分離するためのステップＳ５１が実行される。
【００８１】
Ｃ．タイミングチャート
図３０〜図３２は、表示システム２００でのタイミングチャートの一例を示す図である。
ここでは、２分割で、選択パターンとしてP1（パターン１）を選択した場合を例としている。図３１に示すように、差分画素信号の前に、パターンP1を選択したという信号を伝送している。
【００８２】
このように、本発明によれば、常に、１画素以内の隣接画素との差分を伝送して、受信サイドで再生できるため、低コスト化が可能なｐ−Siスイッチ方式のドライバを使うシステムでも、EMI低減や低消費電力化が可能となる。
【００８３】
（その他の実施形態）
以上、本発明の実施形態について説明したが、本発明はこれらの実施形態に限定されるものではなく、その趣旨を逸脱しない範囲内において種々変形して実施することが可能である。
本発明の実施形態は、液晶表示装置に限定されるものではなく、有機EL（Electro Luminescence）やPDP（Plasma Display Panel）など、マトリックス状に画素が配置される表示装置全般に適用できる。
【図面の簡単な説明】
【００８４】
【図１】本発明の第１の実施形態に係る表示システムを表すブロック図である。
【図２】画像データ送信装置の動作手順の一例を表すフローチャートである。
【図３】画像データ受信装置の動作手順の一例を表すフローチャートである。
【図４Ａ】分割数が２の場合の画素の選択順序の一例を示す模式図である。
【図４Ｂ】分割数が２の場合の分割・サンプリングされた画像データの一例を示す模式図である。
【図４Ｃ】分割数が２の場合の時間圧縮された画像データの一例を示す模式図である。
【図４Ｄ】分割数が２の場合の選択規則の一例を示す模式図である。
【図５Ａ】分割数が２の場合の画素の選択順序の他の例を示す模式図である。
【図５Ｂ】分割数が２の場合の分割・サンプリングされた画像データの他の例を示す模式図である。
【図５Ｃ】分割数が２の場合の時間圧縮された画像データの他の例を示す模式図である。
【図５Ｄ】分割数が２の場合の選択規則の他の例を示す模式図である。
【図６Ａ】分割数が３の場合の画素の選択順序の他の例を示す模式図である。
【図６Ｂ】分割数が３の場合の分割・サンプリングされた画像データの他の例を示す模式図である。
【図６Ｃ】分割数が３の場合の時間圧縮された画像データの他の例を示す模式図である。
【図７Ａ】分割数が４の場合の画素の選択順序の一例を示す模式図である。
【図７Ｂ】分割数が４の場合の分割・サンプリングされた画像データの一例を示す模式図である。
【図７Ｃ】分割数が４の場合の時間圧縮された画像データの一例を示す模式図である。
【図８Ａ】分割数が４の場合の画素の選択順序の他の例を示す模式図である。
【図８Ｂ】分割数が４の場合の分割・サンプリングされた画像データの他の例を示す模式図である。
【図８Ｃ】分割数が４の場合の時間圧縮された画像データの他の例を示す模式図である。
【図９Ａ】分割数が５の場合の画素の選択順序の一例を示す模式図である。
【図９Ｂ】分割数が５の場合の分割・サンプリングされた画像データの一例を示す模式図である。
【図９Ｃ】分割数が５の場合の時間圧縮された画像データの一例を示す模式図である。
【図１０Ａ】分割数が２の場合の画素の選択順序の一例を示す模式図である。
【図１０Ｂ】分割数が２の場合の分割・サンプリングされた画像データの一例を示す模式図である。
【図１０Ｃ】分割数が２の場合の時間圧縮された画像データの一例を示す模式図である。
【図１０Ｄ】分割数が２の場合の選択規則の一例を示す模式図である。
【図１１】分割数２でのタイミングチャートを示す図である。
【図１２】分割数２でのタイミングチャートを示す図である。
【図１３】分割数２でのタイミングチャートを示す図である。
【図１４】分割数３でのタイミングチャートを示す図である。
【図１５】分割数３でのタイミングチャートを示す図である。
【図１６】分割数３でのタイミングチャートを示す図である。
【図１７】分割数３でのタイミングチャートを示す図である。
【図１８】分割数４でのタイミングチャートを示す図である。
【図１９】分割数４でのタイミングチャートを示す図である。
【図２０】分割数４でのタイミングチャートを示す図である。
【図２１】分割数４でのタイミングチャートを示す図である。
【図２２】分割数５でのタイミングチャートを示す図である。
【図２３】分割数５でのタイミングチャートを示す図である。
【図２４】分割数５でのタイミングチャートを示す図である。
【図２５】分割数５でのタイミングチャートを示す図である。
【図２６】本発明の第１の実施形態の変形例に係る表示システムを表すブロック図である。
【図２７】本発明の第２の実施形態に係る表示システムを表すブロック図である。
【図２８】本発明の第２の実施形態に係る画像データ送信装置の動作手順の一例を表すフローチャートである。
【図２９】本発明の第２の実施形態に係る画像データ受信装置の動作手順の一例を表すフローチャートである。
【図３０】本発明の第２の実施形態に係る表示システムでのタイミングチャートの一例を示す図である。
【図３１】本発明の第２の実施形態に係る表示システムでのタイミングチャートの一例を示す図である。
【図３２】本発明の第２の実施形態に係る表示システムでのタイミングチャートの一例を示す図である。
【符号の説明】
【００８５】
１００…表示システム、１１０…画像データ送信装置、１１１…画像データ生成部、１１２…差分データ送信部、１２０…画像データ受信装置、１２１…画像データ受信部、１２２…表示パネル、１２３…信号線制御部、１２４…走査線制御部、１２５…選択規則記憶部、１３０…データ伝送線、１３１…信号線、１３２…走査線、１３３…スイッチング素子、１６１…分割・サンプリング部、１６２…時間圧縮部、１６３…差分データ生成部、１６４…画像データ混合・送信部、１４１…逆量子化部、１４２…加算部、１４３…分割部、１４４…記憶部、１４５…変換部、１４６…増幅部、１４７…選択出力部、１４８…読出部、１４９…選択部、１２３ａ…信号線制御部、１５１…記憶部、１５２…選択部、１５３…差分処理部、１５４…量子化部、１５５…逆量子化部、１５６…加算部、２００…表示システム、２１０…画像データ送信装置、２１３…差分積算部、２１４…選択規則決定部、２２０…画像データ受信装置、２２５…パターン候補記憶部
【図１】
2007017802.tif 000003
【図２】
2007017802.tif 000004
【図３】
2007017802.tif 000005
【図４Ａ】
2007017802.tif 000006
【図４Ｂ】
2007017802.tif 000007
【図４Ｃ】
2007017802.tif 000008
【図４Ｄ】
2007017802.tif 000009
【図５Ａ】
2007017802.tif 000010
【図５Ｂ】
2007017802.tif 000011
【図５Ｃ】
2007017802.tif 000012
【図５Ｄ】
2007017802.tif 000013
【図６Ａ】
2007017802.tif 000014
【図６Ｂ】
2007017802.tif 000015
【図６Ｃ】
2007017802.tif 000016
【図７Ａ】
2007017802.tif 000017
【図７Ｂ】
2007017802.tif 000018
【図７Ｃ】
2007017802.tif 000019
【図８Ａ】
2007017802.tif 000020
【図８Ｂ】
2007017802.tif 000021
【図８Ｃ】
2007017802.tif 000022
【図９Ａ】
2007017802.tif 000023
【図９Ｂ】
2007017802.tif 000024
【図９Ｃ】
2007017802.tif 000025
【図１０Ａ】
2007017802.tif 000026
【図１０Ｂ】
2007017802.tif 000027
【図１０Ｃ】
2007017802.tif 000028
【図１０Ｄ】
2007017802.tif 000029
【図１１】
2007017802.tif 000030
【図１２】
2007017802.tif 000031
【図１３】
2007017802.tif 000032
【図１４】
2007017802.tif 000033
【図１５】
2007017802.tif 000034
【図１６】
2007017802.tif 000035
【図１７】
2007017802.tif 000036
【図１８】
2007017802.tif 000037
【図１９】
2007017802.tif 000038
【図２０】
2007017802.tif 000039
【図２１】
2007017802.tif 000040
【図２２】
2007017802.tif 000041
【図２３】
2007017802.tif 000042
【図２４】
2007017802.tif 000043
【図２５】
2007017802.tif 000044
【図２６】
2007017802.tif 000045
【図２７】
2007017802.tif 000046
【図２８】
2007017802.tif 000047
【図２９】
2007017802.tif 000048
【図３０】
2007017802.tif 000049
【図３１】
2007017802.tif 000050
【図３２】
2007017802.tif 000051